(57)【要約】【課題】  書籍、カタログあるいは文書ファイル等の各ページを表示画面に順次表示して利用者の閲覧に供する画像データ表示装置に関し、特に画像形式以外のデータ形式を含む電子ファイルを取り扱う仕組みを提示し、さらには画像を拡大して表示する方法を提示する。【解決手段】  表示用画像データを埋め込む画像枠と、前記の画像枠に埋め込まれた表示用画像データに対応するページデータを埋め込むページ枠とを持つ表示画面を備える画像データ表示装置において、表示画面内の右側部分に配する画像枠および左側部分に配する画像枠にそれぞれ１個の表示用画像データを埋め込んで表示する見開き表示モードと、前記のいずれか一方の画像枠に埋め込まれた表示用画像データの一部を所定の倍率により拡大して表示する拡大表示モードとを設け、前記の表示画面を見開き表示モードから拡大表示モードに切り替える表示画像制御部を設ける。【選択図】            図１
2005056057.tif 000002
【特許請求の範囲】
【請求項１】
表示用画像データを埋め込む画像枠と、前記の画像枠に埋め込まれた表示用画像データに対応するページデータを埋め込むページ枠とを持つ表示画面を備える画像データ表示装置において、
表示画面内の右側部分に配する画像枠および左側部分に配する画像枠にそれぞれ１個の表示用画像データを埋め込んで表示する見開き表示モードと、前記のいずれか一方の画像枠に埋め込まれた表示用画像データの一部を所定の倍率により拡大して表示する拡大表示モードとを設け、
前記の表示画面を見開き表示モードから拡大表示モードに切り替える表示画像制御部を設けることを特徴とする、画像データ表示装置。
【請求項２】
前記の画像データ表示装置において、
表示画面の表示を見開き表示モードから拡大表示モードに切り替える際に、当初の見開き表示モードによる表示画面内で特定のポイントを基準点として指定し、前記の基準点を起点とした拡大画像領域を設定して拡大画像の生成を行なわせることを特徴とする、請求項１に記載の画像データ表示装置。
【請求項３】
前記の画像データ表示装置において、
拡大表示モードによる拡大画像の生成を行なわせる基準点は、見開き表示モードによる表示画面内の右側部分に配する画像枠の右上隅および右下隅と、前記の表示画面内の左側部分に配する画像枠の左上隅および左下隅との４点をデフォルトとして指定することを特徴とする、請求項２に記載の画像データ表示装置。
【請求項４】
前記の画像データ表示装置において、
拡大表示モードにおいて所定の倍率で画像を拡大表示する画像領域は、互いに隣接する画像領域と重複して重なり合う領域を持つことを特徴とする、請求項１に記載の画像データ表示装置。
【請求項５】
前記の画像データ表示装置において、
前記の見開き表示モードによる表示画像より拡大表示モードによる所定の倍率の拡大画像に切り替える際に、あらかじめ定める複数種の中間倍率による表示画像を生成し、前記の中間倍率による表示画像を段階的に表示した後に所定の倍率による拡大表示画像を表示することを特徴とする、請求項１に記載の画像データ表示装置。
【請求項６】
前記の画像データ表示装置において、
前記の拡大表示モードによる表示画面は、その表示する拡大表示画像をあらかじめ定める順番に従って入れ替えることを特徴とする、請求項１に記載の画像データ表示装置。
【請求項７】
前記の画像データ表示装置において、
前記の見開き表示モードから拡大表示モードに切り替えた拡大表示画像を表示する際に、当初の見開き表示モードによる表示画像に対応するページデータを埋め込んだページ枠を併置して表示することを特徴とする、請求項１に記載の画像データ表示装置。
【請求項８】
表示用画像データを埋め込む画像枠と、前記の画像枠に埋め込まれた表示用画像データに対応するページデータを埋め込むページ枠とを持つ表示画面を備える画像データ表示装置の制御方法において、
表示画面内の右側部分に配する画像枠および左側部分に配する画像枠にそれぞれ１個の表示用画像データを埋め込んで表示する見開き表示モードから、
前記のいずれか一方の画像枠に埋め込まれた表示用画像データの一部を所定の倍率により拡大して表示する拡大表示モードに切り替える制御の手順を備えることを特徴とする、画像データ表示装置の制御方法。
【発明の詳細な説明】
【技術分野】
【０００１】
この発明は、書籍あるいはカタログ等の各ページを表示画面に順次表示して利用者の閲覧に供する画像データ表示装置に関するものであり、特に画像形式以外のデータ形式を含む電子ファイルを取り扱う仕組みを提示し、さらには画像を拡大して表示する方法に関するものである。
【背景技術】
【０００２】
従来より、仮想的な世界であるコンピュータ上の情報を、現実世界の本を閲覧する動作に近づけた動作で利用させるという技術思想、及び前記の表示画像を必要に応じて拡大して提示するという技術思想は、公知のものである（例えば、特許文献１、２を参照）。
【０００３】
【特許文献１】特開２０００−１２３０４４号公報
【特許文献２】特開２００１−１０１２３１号公報
【０００４】
図８ないし図１０に基づいて、従来の技術による画像データ表示装置の構成及びその動作を説明する。
【０００５】
図８は、従来の技術による画像データ表示装置の構成を示すものである。すなわち画像データ表示装置Ｂ０５は表示部Ｂ５１を備える。前記の表示部Ｂ５１に表示する個々の表示画像は、表示画面制御部Ｂ５２の制御に従う。
【０００６】
前記の表示画面制御部Ｂ５２は、所定の表示用画像データＢ５５を取り出し、画像枠Ｂ５４による画像の中の所定の位置に埋め込む。
【０００７】
前記の表示用画像データＢ５５は、当該画像データ表示装置があらかじめ指定するデータ形式に従って生成されるものである。
【０００８】
図９は、前記の図８に示した画像データ表示装置Ｂ０５の表示部Ｂ５１に具体的な表示画像の例として表示した画面を示すものである。
【０００９】
すなわち前記の図８に示した表示部Ｂ５１に相当する表示画面５１では現実の書籍に模した画像枠５２を固定して配し、前記の画像枠５２の中の所定のページ位置には表示に供する書籍の内容をもとに生成した画像データによる表示用画像５３をあらかじめ定める順番に従って差し替え自在に埋め込む。
【００１０】
これより、当該表示画面５１は前記の画像枠５２で示した形態の書籍を開いて表示用画像で示す見開きページの内容を読んでいるという状態となる。
【００１１】
また当該表示画面５１にはスイッチボタン５５が配されており、マウス等のポインタで指示することによって「次頁（次ページに進む）」、「前頁（前ページに戻る）」、「ジャンプ（指定のページにジャンプする）」あるいは「終了（本を閉じる）」等の、通常の書籍を読む時と類似した動作が実行される。
【００１２】
さらに、利用者が表示部のサイズまたは解像度の制限等により画像の視認性が思わしくないと判断したときなど、より正確に視認する手段として画像の表示を拡大して提示することがある。
【００１３】
図１０は、従来の技術に基づいて提供される拡大画像の様子を示すものである。ここではその代表的な例として、図１０（ａ）に示したごとく拡大した画像を表示する領域を設ける方式と、図１０（ｂ）に示したごとく指定したポイントおよびその近傍を拡大鏡（ルーペ）で拡大する方式とをもって説明する。
【００１４】
図１０（ａ）に示す例は、カーソルの指示するポイントを中心とする領域を所定の倍率で拡大した画像を、拡大画像領域として画像領域の片隅に配するものである。
【００１５】
この方式によると、カーソルの指示するポイントが常に拡大画像領域内に存在するが、前記の拡大画像領域内ではカーソルの指示するポイントの移動はその拡大倍率に比例して早くなるので、それぞれのポイントの存在する領域が離れていることも相俟ってカーソルが画像領域で指示するポイントと拡大画像領域内でカーソルの指示に対応するポイントを見出し難い。
【００１６】
図１０（ｂ）に示す例は、表示画像の中にルーペの形状を持ったアイコンを移動自在に配し、所定の倍率を持った前記のルーペで拡大した画像を、拡大画像として当該ルーペの中に配するものである。
【００１７】
この方式によると、前記のルーペは画像領域中で好みの位置への移動が可能なので拡大表示を指示するポイントと拡大された画像とは常に一致しているが、当該ルーペの大きさは固定されたものであり、前記のルーペの大きさを超えた領域の画像を観察するためにはルーペを動かさなければならず、その際に前記のルーペ内部の画像移動はその拡大倍率に比例して早くなるのでルーペの移動より速く移動し、狭い領域の中で画像が操作者の思惑よりも速く移動するので、感覚的にも視認性を阻害する要素となる。
【発明の開示】
【発明が解決しようとする課題】
【００１８】
上述したごとく、従来の技術を適用した画像データ表示装置において、下記のような問題点がある。
【００１９】
表示画面を拡大する場合、前記の図１０による方式だと任意の位置の画像を拡大することは可能であるが、限定された領域を対象とする部分拡大画像を前提とした画像処理であるため、まとまった文章を閲読したり、まとまった領域に占める画像を閲覧するためには頻繁に画像拡大ツールを操作しなければならない。
【００２０】
また画像全体をズームアップして拡大画面を生成させる場合は、画像拡大の前後での関連が見落とされると当初の見開き表示画面での画像配置との位置関係が読めなくなる。
【００２１】
これより、画像データ表示装置において、画像全体を俯瞰して表示した見開き表示画面と明確な位置関係を維持しつつ、操作者の視認性を高めた表示画像を表示できる画像データ表示装置を提供することを、この発明が解決しようとする課題とする。
【課題を解決するための手段】
【００２２】
前記の問題を解決するために、この発明では次に示す手段を取った。
【００２３】
表示用画像データを埋め込む画像枠と、前記の画像枠に埋め込まれた表示用画像データに対応するページデータを埋め込むページ枠とを持つ表示画面を備える画像データ表示装置において、表示画面内の右側部分に配する画像枠および左側部分に配する画像枠にそれぞれ１個の表示用画像データを埋め込んで表示する見開き表示モードと、前記のいずれか一方の画像枠に埋め込まれた表示用画像データの一部を所定の倍率により拡大して表示する拡大表示モードとを設け、前記の表示画面を見開き表示モードから拡大表示モードに切り替える表示画像制御部を設ける。
【００２４】
この手段を取ることによって、当該画像データ表示装置は当初に画像全体を俯瞰する見開き表示モードで画像を表示し、操作者の操作に応じて拡大表示に切り替えるという作用を得る。
【００２５】
前記の画像データ表示装置において、表示画面の表示を見開き表示モードから拡大表示モードに切り替える際に、当初の見開き表示モードによる表示画面内で特定のポイントを基準点として指定し、前記の基準点を起点とした拡大画像領域を設定して拡大画像の生成を行なわせる。
【００２６】
この手段を取ることによって、見開き表示モードから切り替える拡大表示画面は当初の見開き表示画面と共通した基準点を持つという作用を得る。
【００２７】
前記の画像データ表示装置において、拡大表示モードによる拡大画像の生成を行なわせる基準点は、見開き表示モードによる表示画面内の右側部分に配する画像枠の右上隅および右下隅と、前記の表示画面内の左側部分に配する画像枠の左上隅および左下隅との４点をデフォルトとして指定する。
【００２８】
この手段を取ることによって、当該画像データ表示装置は拡大画像形成の標準的な基準点を備えるという作用を得る。
【００２９】
前記の画像データ表示装置において、拡大表示モードにおいて所定の倍率で画像を拡大表示する画像領域は、互いに隣接する画像領域と重複して重なり合う領域を持つ。
【００３０】
この手段を取ることによって、拡大表示画像間の境界領域の表示を行なわせるという作用を得る。
【００３１】
前記の画像データ表示装置において、前記の見開き表示モードによる表示画像より拡大表示モードによる所定の倍率の拡大画像に切り替える際に、あらかじめ定める複数種の中間倍率による表示画像を生成し、前記の中間倍率による表示画像を段階的に表示した後に所定の倍率による拡大表示画像を表示する。
【００３２】
この手段を取ることによって、見開き表示モードによる表示から拡大表示モードによる所定の倍率の拡大画像に段階的に推移するという作用を得る。
【００３３】
前記の画像データ表示装置において、前記の拡大表示モードによる表示画面は、その表示する拡大表示画像をあらかじめ定める順番に従って入れ替える。
【００３４】
この手段を取ることによって、当該画像データ表示装置はあらかじめ定める順番に従って拡大表示画像を提示するという作用を得る。
【００３５】
前記の画像データ表示装置において、前記の見開き表示モードから拡大表示モードに切り替えた拡大表示画像を表示する際に、当初の見開き表示モードによる表示画像に対応するページデータを埋め込んだページ枠を併置して表示する。
【００３６】
この手段を取ることによって、拡大表示画像の表示時にも当初の見開き表示画像における位置付け情報を提供するという作用を得る。
【００３７】
表示用画像データを埋め込む画像枠と、前記の画像枠に埋め込まれた表示用画像データに対応するページデータを埋め込むページ枠とを持つ表示画面を備える画像データ表示装置の制御方法において、表示画面内の右側部分に配する画像枠および左側部分に配する画像枠にそれぞれ１個の表示用画像データを埋め込んで表示する見開き表示モードから、前記のいずれか一方の画像枠に埋め込まれた表示用画像データの一部を所定の倍率により拡大して表示する拡大表示モードに切り替える制御の手順を備える。
【００３８】
この手段を取ることによって、当該画像データ表示装置は当初に画像全体を俯瞰する見開き表示モードで画像を表示し、操作者の操作に応じて拡大表示に切り替える制御の手順を装備するという作用を得る。
【発明の効果】
【００３９】
この発明により、以下に示すような効果が期待できる。
【００４０】
表示用画像データを埋め込む画像枠と、前記の画像枠に埋め込まれた表示用画像データに対応するページデータを埋め込むページ枠とを持つ表示画面を備える画像データ表示装置において、表示画面内の右側部分に配する画像枠および左側部分に配する画像枠にそれぞれ１個の表示用画像データを埋め込んで表示する見開き表示モードと、前記のいずれか一方の画像枠に埋め込まれた表示用画像データの一部を所定の倍率により拡大して表示する拡大表示モードとを設け、前記の表示画面を見開き表示モードから拡大表示モードに切り替える表示画像制御部を設ける。
【００４１】
この手段を取ることによって、当該画像データ表示装置は当初に画像全体を俯瞰する見開き表示モードで画像を表示し、操作者の操作に応じて拡大表示に切り替えるという効果を得る。
【００４２】
前記の画像データ表示装置において、表示画面の表示を見開き表示モードから拡大表示モードに切り替える際に、当初の見開き表示モードによる表示画面内で特定のポイントを基準点として指定し、前記の基準点を起点とした拡大画像領域を設定して拡大画像の生成を行なわせる。
【００４３】
この手段を取ることによって、見開き表示モードから切り替える拡大表示画面は当初の見開き表示画面と共通した基準点を持つので、操作者の視認性を損なわずに拡大画像を生成するという効果を得る。
【００４４】
前記の画像データ表示装置において、拡大表示モードによる拡大画像の生成を行なわせる基準点は、見開き表示モードによる表示画面内の右側部分に配する画像枠の右上隅および右下隅と、前記の表示画面内の左側部分に配する画像枠の左上隅および左下隅との４点をデフォルトとして指定する。
【００４５】
この手段を取ることによって、当該画像データ表示装置はデフォルトによって拡大画像形成の標準的な基準点を備えるので、単純化された操作によって拡大画像を提供できるという効果を得る。
【００４６】
前記の画像データ表示装置において、拡大表示モードにおいて所定の倍率で画像を拡大表示する画像領域は、互いに隣接する画像領域と重複して重なり合う領域を持つ。
【００４７】
この手段を取ることによって、拡大表示画像間の境界領域の表示を行なわせるので、相互の拡大画像間で切れ目の無い画像を提供するという効果を得る。
【００４８】
前記の画像データ表示装置において、前記の見開き表示モードによる表示画像より拡大表示モードによる所定の倍率の拡大画像に切り替える際に、あらかじめ定める複数種の中間倍率による表示画像を生成し、前記の中間倍率による表示画像を段階的に表示した後に所定の倍率による拡大表示画像を表示する。
【００４９】
この手段を取ることによって、見開き表示モードによる表示から拡大表示モードによる所定の倍率の拡大画像に段階的に推移するので、滑らかな移行画面を提示できるという効果を得る。
【００５０】
前記の画像データ表示装置において、前記の拡大表示モードによる表示画面は、その表示する拡大表示画像をあらかじめ定める順番に従って入れ替える。
【００５１】
この手段を取ることによって、当該画像データ表示装置はあらかじめ定める順番に従って拡大表示画像を提示するので、操作者の思考の流れに沿った画面の展開が可能になるという効果を得る。
【００５２】
前記の画像データ表示装置において、前記の見開き表示モードから拡大表示モードに切り替えた拡大表示画像を表示する際に、当初の見開き表示モードによる表示画像に対応するページデータを埋め込んだページ枠を併置して表示する。
【００５３】
この手段を取ることによって、拡大表示画像の表示時にも当初の見開き表示画像における位置付け情報を示しているので、操作者は常に見開き表示モード時の画面構成を考慮に入れて画面を閲読することができるという効果を得る。
【００５４】
表示用画像データを埋め込む画像枠と、前記の画像枠に埋め込まれた表示用画像データに対応するページデータを埋め込むページ枠とを持つ表示画面を備える画像データ表示装置の制御方法において、表示画面内の右側部分に配する画像枠および左側部分に配する画像枠にそれぞれ１個の表示用画像データを埋め込んで表示する見開き表示モードから、前記のいずれか一方の画像枠に埋め込まれた表示用画像データの一部を所定の倍率により拡大して表示する拡大表示モードに切り替える制御の手順を備える。
【００５５】
この手段を取ることによって、当該画像データ表示装置は当初に画像全体を俯瞰する見開き表示モードで画像を表示し、操作者の操作に応じて拡大表示に切り替える制御の手順を装備するという効果を得る。
【発明を実施するための最良の形態】
【００５６】
図１ないし図７に基づいて、この発明を実施するための最良の形態による画像データ表示装置の構造およびその動作を説明する。
【００５７】
図１は、この発明を実施するための最良の形態による画像データ表示装置の構成を示すものである。図中に示すとおり、画像データ表示装置Ｂ０１は表示部Ｂ１１を備える。前記の表示部Ｂ１１で実際に表示する個々の表示画像は表示画面制御部Ｂ１２の制御による。
【００５８】
前記の表示画面制御部Ｂ１２は、表示用画像データＢ１５を画像枠Ｂ１４に埋め込み、前記の表示用画像データＢ１５に対応するページデータＢ１７をページ枠Ｂ１６に埋め込む。
【００５９】
また表示モード設定部Ｂ１２ｂは、表示部Ｂ１１の画像データの表示形態を、見開き表示モードあるいは拡大表示モードに指定して切り替えさせる。
【００６０】
拡大表示部Ｂ１８では、表示画像の拡大領域を規定する拡大画像枠Ｂ１８ａと、前記の拡大画像枠Ｂ１８ａで規定する画像の拡大率を規定する画像拡大率Ｂ１８ｂと、前記の拡大画像枠Ｂ１８ａの位置を規定する拡大基準点Ｂ１８ｃとを備える。
【００６１】
前記の表示用画像データＢ１５は、画像データベースＢ１０より引き出したものである。前記の画像データベースＢ１０より引き出したデータに基づいて、表示用画像データＢ１５およびページデータＢ１７と、拡大画像枠Ｂ１８ａ、画像拡大率Ｂ１８ｂ及び拡大基準点Ｂ１８ｃと、表示順序設定部に格納する拡大表示画像の表示順序データを設定する。
【００６２】
図２ないし図６に基づいて、この発明による画像データ表示装置が提供する画像の例を説明する。
【００６３】
図２は、この発明による画像データ表示装置が見開き表示モードにより表示する表示画面の例を示すものである。
【００６４】
すなわち前記の図１に示した表示部Ｂ１１に相当する表示画面１では現実の書籍に模した画像枠２を固定して配し、前記の画像枠２の中に中心線２ａをはさんで左右１個ずつ配する所定のページ位置には、表示に供する書籍の内容をもとに生成した画像データによる表示用画像３をあらかじめ定める順番に従って差し替え自在に埋め込む。
【００６５】
これより、当該表示画面１は前記の画像枠２で示した形態の書籍を開いて表示用画像で示す見開きページの内容を読んでいるという状態となる。すなわちここで前記の中心線２ａは、画像枠２で示した形態の書籍における綴じ付け線を模している。なおここでは当該見開きページの中心線２ａより左に配する左側ページに継続して右側ページの内容を閲読する構成左閉じの書籍の形態を前提として説明する。
【００６６】
さらに前記のそれぞれの表示用画像３の下部にはページ枠６が設けられており、前記の表示用画像３を構成するデータに対応するページデータ（前記の図１に示すページデータＢ１７による）が埋め込まれる。
【００６７】
また当該表示画面１にはスイッチボタン５が配されており、「次頁（ページをめくって次ページに進む）」、「前頁（ページをめくって前ページに戻る）」、「ジャンプ（指定のページにジャンプする）」あるいは「終了（本を閉じる）」等の、マウス等のポインタで指示することによって通常の書籍を読む時と類似した動作が実行される機能のスイッチボタンと、「拡大（表示内容を拡大して表示する）」という機能のスイッチボタンとが設けられる。
【００６８】
前記の「拡大」という機能のスイッチボタンをマウス等のポインタで指示すると、当該画面の表示は見開き表示モードから拡大表示モードに切り替えられる。前記の拡大表示モードによる画面表示の詳細は後述する。
【００６９】
既に説明したごとく、表示画面１に設けられた画像枠２は見開き状態に開いた書籍に模した形態を持っており、その左右それぞれのページ上に１個ずつ表示用画像３を埋め込む枠を持つ。
【００７０】
前記の表示用画像３を埋め込む２個の枠の外周４隅には拡大基準点を配する。すなわち見開きの左側ページに配する枠の左上隅に拡大基準点Ｐａを配し、同じく左下隅に拡大基準点Ｐａを配し、見開きの右側ページに配する枠の右上隅に拡大基準点Ｐｃを配し、同じく右下隅に拡大基準点Ｐｄを配する。
【００７１】
前記の４個の拡大基準点は、当該見開き表示画面上においてそれぞれに設定する拡大画像枠７の基準点の位置を規定するものである。
【００７２】
前記の拡大画像枠７の横幅寸法Ｌｗは表示用画像３の横幅寸法Ｋｗより大きく設定し、拡大画像枠７の縦寸法Ｌｈは表示用画像３の縦寸法Ｋｈの１／２より大きく設定する。
【００７３】
すなわち、たとえば見開きの左側ページに配する拡大基準点Ｐａを基準とする拡大画像枠７は表示用画像３の領域の半分を超えた領域を拡大の対象とし、同様に拡大基準点Ｐｂを基準とする拡大画像枠７は表示用画像３の領域の半分を超えた領域を拡大の対象とする。
【００７４】
したがって、前記の拡大基準点Ｐａおよび拡大基準点Ｐｂを基準とする２個の拡大画像枠７は、見開きの左側ページに配する表示用画像３の領域を隙間なく対象領域とすることができるのみならず、前記の２個の拡大画像枠７は互いに重複した領域を表示することになる。
【００７５】
既に述べたごとく前記の図２に示す見開き表示モードでの画面では、左側のページに表示された表示用画像３の内容を閲読して右側のページに記載された表示用画像３の内容に視線を移すので、個々の拡大画像枠７に設定される閲読の順番は拡大基準点Ｐａにより規定される拡大画像枠７から拡大基準点Ｐｂにより規定される拡大画像枠７に移り、次いで拡大基準点Ｐｃにより規定される拡大画像枠７から拡大基準点Ｐｄにより規定される拡大画像枠７に移ることになる。
【００７６】
図３ないし図６は、この発明による画像データ表示装置が拡大表示モードにより表示する表示画面の例を示すものである。
【００７７】
図３は、前記の図２に示した見開き表示モードによる表示画面において拡大基準点Ｐａを基準として形成された拡大表示モードによる表示画面を示す。
【００７８】
前記の拡大基準点Ｐａを起点として展開された拡大画像枠７は、ここでは大略２倍の尺度によって当該表示画面１の適切な位置を占めることができる。さらに当該拡大画像枠７を取り巻く周辺の画像も前記の拡大画像枠７とともに拡大されて表示する。たとえば前記の拡大画像枠７より継続する画像枠２の一部がそのまま残って表示されるので、今まで見開き表示モードによる表示画面１を見つめていた操作者も特に抵抗感もなくこの拡大表示画面によって表示内容を閲読することができる。
【００７９】
拡大表示画面の片隅には画像枠２とともに中心線２ａが表示領域内に残存しており、前記の中心線２ａ位置によって当該拡大表示画面が前記の見開き表示画面においてどのブロックに相当するのかが、視覚的に感得される。
【００８０】
すなわちこの図３による表示画面１では、中心線２ａは右側にあることで当該拡大表示画面が左側ページを表示していることが示され、表示用画像３の上部余白および画像枠２の上端部分が画面上部に表示されていることから、操作者には見開き状態にされた書籍の左上部分が表示されたイメージが与えられる。
【００８１】
前記の拡大画像枠７は、隣接する拡大画像枠７と表示内容を重複させる重複領域７ａを持つ。さらにそれぞれの拡大画像枠７はその周辺の画像をも表示しているので、実質的には前記の重複領域７ａが拡張されることになる。したがってこれらの拡張表示画面を閲読する際にもその境界領域においても死角となる領域は存在しない。
【００８２】
また当該拡大表示画面の下部には、ページ枠６を配し、前記の見開き表示画面において同一ページを表示していたページデータが表示される。
【００８３】
また当該表示画面１にはスイッチボタン５が配されており、「次段（次段のブロックに進む）」、「前段（前段のブロックに戻る）」、「ジャンプ（指定のページにジャンプする）」あるいは「終了（本を閉じる）」等の、マウス等のポインタで指示することによって閲読位置を移動する、通常の書籍を読む時と類似した動作が実行される機能のスイッチボタンと、「縮小（表示内容を縮小してもとの見開き表示画面に戻る）」という機能のスイッチボタンとが設けられる。
【００８４】
図４は、前記の図２に示した見開き表示モードによる表示画面における拡大基準点Ｐｂを基準として形成された拡大表示モードによる表示画面であって、前記の図３に示す拡大表示画面（すなわち拡大基準点Ｐａに基づいた拡大表示画面）におけるスイッチボタン５にある「次段（次段のブロックに進む）」という表示の機能を実行させることによって示すものである。
【００８５】
すなわち拡大基準点Ｐｂを起点として展開された拡大表示画像は、上部に重複領域７ａを備え、前記の拡大基準点Ｐａを起点として展開された拡大表示画像に持つ重複領域７ａと同一内容の画像を表示し、ページ枠６に表示されるページデータも同一のページデータを表示している。したがって、操作者は先ほどまで閲読していた表示内容がそのまま継続して表示されるので違和感なく読み進めることができる。
【００８６】
図５は、前記の図２に示した見開き表示モードによる表示画面における拡大基準点Ｐｃを基準として形成された拡大表示モードによる表示画面であって、前記の図４に示す拡大表示画面（すなわち拡大基準点Ｐｂに基づいた拡大表示画面）におけるスイッチボタン５にある「次段（次段のブロックに進む）」という表示の機能を実行させることによって示すものである。
【００８７】
すなわち拡大基準点Ｐｃを起点として展開された拡大表示画像は、ページ枠６に表示されるページデータもひとつ進んだページデータを表示する。したがって、操作者が先ほどまで閲読していた表示内容に継続した内容として受容されるので違和感なく読み進めることができる。
【００８８】
図６は、前記の図２に示した見開き表示モードによる表示画面における拡大基準点Ｐｄを基準として形成された拡大表示モードによる表示画面であって、前記の図５に示す拡大表示画面（すなわち拡大基準点Ｐｃに基づいた拡大表示画面）におけるスイッチボタン５にある「次段（次段のブロックに進む）」という表示の機能を実行させることによって示すものである。
【００８９】
すなわち拡大基準点Ｐｄを起点として展開された拡大表示画像は、上部に重複領域７ａを備え、前記の拡大基準点Ｐｃを起点として展開された拡大表示画像に持つ重複領域７ａと同一内容の画像を表示し、ページ枠６に表示されるページデータも同一のページデータを表示している。したがって、操作者は先ほどまで閲読していた表示内容がそのまま継続して表示されるので違和感なく読み進めることができる。
【００９０】
図７は、この発明を実施するための最良の形態による画像データ表示装置が実行する制御の手順を示すものである。個々の制御の手順の説明に引用する符号は、前記の図１による。
【００９１】
ステップＳ０１で画像データ表示装置は操作者の指定する閲読対象の資料を画像データベースＢ１０より引き出して表示用画像データＢ１５とし、ステップＳ０２に進んで前記の画像データベースＢ１０より引き出した関連データをもとに画像枠Ｂ１４を確定し、ページ枠Ｂ１６に表示するページデータＢ１７を確定し、拡大表示部Ｂ１８の拡大基準点Ｂ１８ｃを確定し、表示画面制御部Ｂ１２の表示順序設定部Ｂ１２ａに格納する表示順序を確定する。
【００９２】
ステップＳ０３で操作者が閲読ページを指定すれば、ステップＳ０４に進んで表示モード設定部Ｂ１２ｂは見開き表示モードを設定して表示用画像データＢ１５より引き出した画像データを表示部Ｂ１１に表示し、ステップＳ０５に進んでページデータＢ１７をページ枠１６に表示する。
【００９３】
前記のステップＳ０４および０５による手順による表示画像の例は、図２による。またこの説明で使用する画像の例は図３ないし図６によるものであって、閲読の順番は左ページから右ページへと進め、さらに拡大表示画像の表示順序はその基準点がＰａ、Ｐｂ、Ｐｃ、Ｐｄへと進むものとする。
【００９４】
ステップＳ０６で表示画面内に設けるスイッチボタンより「拡大」（表示内容を拡大して表示する）というスイッチボタンを選択して押下すると、ステップＳ０７に進んで表示モード設定部Ｂ１２ｂは拡大表示モードを設定し、表示順序設定部Ｂ１２ａに設定する順序に従って拡大表示の対象とする区画（ブロック）を当初に左側ページの上側ブロックと指定する。
【００９５】
ステップＳ０８で表示画面制御部Ｂ１２は当該画像部分の拡大表示に供する基準点を拡大基準点Ｂ１８ｃよりＰａ（図２を参照）を選択し、ステップＳ０９に進んで拡大画像枠Ｂ１８ａより該当するデータを設定し、ステップＳ１０に進んで画像拡大率Ｂ１８ｂより引き出した拡大率データに基づいて拡大表示画像を生成する。
【００９６】
前記のステップＳ１０において拡大表示画像を生成する際に、中間画像設定部Ｂ１２ｃが見開き表示に用いた画像サイズから前記の拡大率データに基づいて生成する拡大表示画像にいたる複数種の中間サイズの画像を生成して順次表示する。前記の中間サイズの画像は表示拡大の過程を限られた時間枠の中で滑らかに移行させるものであり、詳細な画像である必要は無いので、画素を間引きした概略の画像で表示してよい。
【００９７】
ステップＳ１１で表示画面制御部Ｂ１２は表示部Ｂ１１に拡大表示による画面を表示し、ステップＳ１２に進んでページ枠には前記のステップＳ０５で表示した左側ページのページデータを表示して、当該拡大表示画面を操作者の閲読用に提供する。前記のステップＳ１１およびＳ１２に示す手順で生成する画面の例は、図３による。
【００９８】
ステップＳ１３で当該拡大表示画面による資料の閲読を終了した操作者が資料の閲読を継続する場合、ステップＳ１４に進んで当該拡大表示画面中に設定してある「次段」というスイッチボタンをマウス等で選択して押下する。
【００９９】
ステップＳ１５で、表示画面制御部Ｂ１２は現在開示中の拡大表示画面にかかる区画位置を確認する。
【０１００】
すなわち図２によって既に説明したごとく、ここで表示された見開き表示による画面では、当初に表示順序設定部Ｂ１２ａが設定する通り、拡大基準点Ｐａに基づく拡大表示画像に継続して拡大基準点Ｐｂに基づく拡大表示画像が続き、その後さらに順次拡大基準点Ｐｃおよび拡大基準点Ｐｄにもとづく拡大表示画像が続く。
【０１０１】
したがって、たとえば現在開示中の画像が拡大基準点Ｐａに基づく拡大表示画像（図３を参照）であれば次段に指定される画像は拡大基準点Ｐｂに基づく拡大表示画像（図４を参照）であり、前記の画像が拡大基準点Ｐｂに基づく拡大表示画像（図４を参照）であれば次段に指定される画像は拡大基準点Ｐｃに基づく拡大表示画像（図５を参照）であり、前記の画像が拡大基準点Ｐｃに基づく拡大表示画像（図５を参照）であれば次段に指定される画像は拡大基準点Ｐｄに基づく拡大表示画像（図６を参照）であり、前記の画像が拡大基準点Ｐｄに基づく拡大表示画像（図６を参照）であれば当該表示画像が最終区画であり、次段に指定されるべき画像は次頁の情報である。
【０１０２】
ステップＳ１６で表示画面制御部Ｂ１２が現在開示中の拡大表示画面にかかる区画位置が最終区画に該当しない（すなわち当該拡大表示画像が拡大基準点Ｐａ、ＰｂまたはＰｃに基づくものである）ことを確認すれば、ステップＳ０７に戻って、継続して表示する区画を指定する。
【０１０３】
前記のステップＳ１６で表示画面制御部Ｂ１２が現在開示中の拡大表示画面にかかる区画位置が最終区画に該当する（すなわち当該拡大表示画像が拡大基準点Ｐｄに基づくものである）ことを確認すれば、ステップＳ０３に戻って改ページを指定し、さらにステップＳ０４に進んで前記の継続するページを見開き表示モ−ドで表示する。
【０１０４】
また前記のステップＳ１３で当該拡大表示画面による資料の閲読を終了した操作者が資料の閲読を継続しないと指定する場合、ステップＳ１７に進んで当該拡大表示画面中に設定の「終了」というスイッチボタンをマウス等で選択して押下し、操作を終了する。
【図面の簡単な説明】
【０１０５】
【図１】この発明を実施するための最良の形態による構成図である。
【図２】この発明を実施するための最良の形態による画像を示す図である。
【図３】この発明を実施するための最良の形態による画像を示す図である。
【図４】この発明を実施するための最良の形態による画像を示す図である。
【図５】この発明を実施するための最良の形態による画像を示す図である。
【図６】この発明を実施するための最良の形態による画像を示す図である。
【図７】この発明を実施するための最良の形態によるフローチャートである。
【図８】従来の技術による構成図である。
【図９】従来の技術による画像を示す図である。
【図１０】従来の技術による拡大表示画像を示す図である。
【符号の説明】
【０１０６】
Ｂ０１：画像データ表示装置
Ｂ１０：画像データベース
Ｂ１１：表示部
Ｂ１２：表示画面制御部
Ｂ１２ａ：表示順序設定部
Ｂ１２ｂ：表示モード設定部
Ｂ１２ｃ：中間画像設定部
Ｂ１３：入力操作部
Ｂ１４：画像枠
Ｂ１５：表示用画像データ
Ｂ１６：ページ枠
Ｂ１７：ページデータ
Ｂ１８：拡大表示部
Ｂ１８ａ：拡大画像枠
Ｂ１８ｂ：画像拡大率
Ｂ１８ｃ：拡大基準点
【図１】
2005056057.tif 000003
【図２】
2005056057.tif 000004
【図３】
2005056057.tif 000005
【図４】
2005056057.tif 000006
【図５】
2005056057.tif 000007
【図６】
2005056057.tif 000008
【図７】
2005056057.tif 000009
【図８】
2005056057.tif 000010
【図９】
2005056057.tif 000011
【図１０】
2005056057.tif 000012